(57)【要約】【課題】比較的長時間使用してもパッドの前側に体液が溜まり難い体液吸収パッド、これを用いた股下部を有する衣類を提供する。【解決手段】体液吸収パッド１は、表側面から裏側面に体液を浸透させる浸透布２と、股下部６１の肌側面に接して配置され、股下部６１への体液の浸入を防止する防液布３と、浸透布２と防液布３との間に設けられ、体液を吸収して保持可能な多層構造の多層積層体４とを有する。多層積層体４は、浸透布２側に配置され、体液を上部側で吸収する上部吸収層４１と、上部吸収層４１の裏側面に接して配置され、表側面から裏側面に体液を浸透させる浸透層４２と、浸透層４２の裏側面に接して配置され、上部吸収層４１より後方に大きく形成されると共に体液を底部側で吸収保持する底部吸収層４３とを有する。上部吸収層４１は、前後方向の途中部位から後方に向かって延びる切欠き部４１０を有する。【選択図】図３
2015029542.tif 000002
【特許請求の範囲】
【請求項１】
股下部を有する衣類における上記股下部の肌側に配置されるとともに上記衣類に取り付けた状態で用いられ、上記衣類の着用者の股部から排出される体液を吸収させるための体液吸収パッドであって、
少なくとも１枚以上より構成され、表側面から裏側面に上記体液を浸透させる浸透布と、上記股下部の肌側面に接して配置され、上記股下部への上記体液の浸入を防止する防液布と、上記浸透布と上記防液布との間に設けられ、上記体液を吸収して保持可能な多層構造の多層積層体とを有しており、
該多層積層体は、
上記浸透布側に配置され、上記体液を上部側で吸収する上部吸収層と、該上部吸収層の裏側面に接して配置され、表側面から裏側面に上記体液を浸透させる浸透層と、上記浸透層の裏側面に接して配置され、上記上部吸収層より少なくとも後方に大きく形成されるとともに上記体液を底部側で吸収して保持する底部吸収層とを有しており、
上記上部吸収層は、
その前後方向の途中部位から後方に向かって延びる切欠き部を有していることを特徴とする体液吸収パッド。
【請求項２】
請求項１に記載の体液吸収パッドであって、
上記多層積層体は、上記浸透布の裏側面と上記上部吸収層の表側面との間に、層厚み方向に貫通する貫通穴が形成された立体形成層を有していることを特徴とする体液吸収パッド。
【請求項３】
請求項２に記載の体液吸収パッドであって、
上記貫通穴と上記切欠き部の前端部とは、平面視で、互いに重なるように配置されていることを特徴とする体液吸収パッド。
【請求項４】
請求項２または３に記載の体液吸収パッドであって、
上記貫通穴の外周に沿って上記浸透布と上記多層積層体とを縫着するとともに上記浸透布の表側面に露出する部位を含む縫着糸を有していることを特徴とする体液吸収パッド。
【請求項５】
請求項１〜４のいずれか１項に記載の体液吸収パッドであって、
上記切欠き部は、上記上部吸収層の後方に向かうに従ってその幅が広くなるように形成されていることを特徴とする体液吸収パッド。
【請求項６】
請求項１〜５のいずれか１項に記載の体液吸収パッドであって、
上記浸透布は、上記衣類の着用者の股部に当接させる第１浸透布と、該第１浸透布の裏側面に接して配置された第２浸透布とを有しており、
上記第１浸透布および上記第２浸透布は、ともにメッシュ状面を有しており、
上記第１浸透布のメッシュ状面は、上記第２浸透布のメッシュ状面よりもメッシュが粗いことを特徴とする体液吸収パッド。
【請求項７】
請求項１〜６のいずれか１項に記載の体液吸収パッドであって、
上記多層積層体の両側縁は、上記浸透布および上記防液布の両側縁よりも内側に配置されていることを特徴とする体液吸収パッド。
【請求項８】
請求項１〜７のいずれか１項に記載の体液吸収パッドであって、
上記底部吸収層は、単層または複数層から構成されていることを特徴とする体液吸収パッド。
【請求項９】
請求項１〜８のいずれか１項に記載の体液吸収パッドであって、
上記多層積層体は、上記浸透布の裏側面に縫着されていることを特徴とする体液吸収パッド。
【請求項１０】
請求項１〜９のいずれか１項に記載の体液吸収パッドであって、
上記防液布は、上記浸透布および上記多層積層体よりも大きく形成されており、
上記浸透布の外周縁と上記防液布の外周縁との間に、両外周縁の間を繋ぎ合わせる撥水性の撥水布を有していることを特徴とする体液吸収パッド。
【請求項１１】
股下部を有する衣類であって、
請求項１〜１０のいずれか一項に記載の体液吸収パッドが、上記股下部の肌側に配置されるとともに上記衣類に取り付けられていることを特徴とする股下部を有する衣類。
【請求項１２】
請求項１１に記載の股下部を有する衣類であって、
上記体液吸収パッドの全周縁が上記股下部に縫着されていることを特徴とする股下部を有する衣類。
【請求項１３】
請求項１１または１２に記載の股下部を有する衣類は、生理用ショーツであることを特徴とする股下部を有する衣類。
【発明の詳細な説明】
【技術分野】
【０００１】
本発明は、体液吸収パッドおよび股下部を有する衣類に関する。
【背景技術】
【０００２】
従来、生理時の経血・おりものや尿等の体液を吸収させる体液吸収パッドを、股下部を有する衣類における股下部の肌側に取り付けた衣類が知られている。
【０００３】
例えば、特許文献１には、前身頃部、後身頃部および股下部からなるショーツ本体の股下部の肌側に体液吸収パッドを配置してなるショーツが開示されている。このショーツにおいて、体液吸収パッドは、その裏側面全面にパッドの前後両端縁から延びる連結布が取り付けられており、この連結布の前後両端縁がショーツ本体に縫着されることによってショーツ本体に取り付けられている。また、体液吸収パッドは、その前端縁および後端縁が股下部の底部からほぼ同じ高さとなるように股下部の肌側に配置されて取り付けられている。
【０００４】
この種の体液吸収パッドとしては、吸収層を複数層にわたって立体的に配置したものが知られている。例えば、特許文献２には、スリット状の凹部が形成された浸透布と、浸透布の裏側に設けられ、浸透布に周縁部が縫着されることによって袋部を形成する防水性の裏当布と、上記袋部の内部に複数層にわたって設けられ、凹部から浸透させた体液を吸収して保水する吸収保水層とを有する体液吸収パッドが提案されている。
【先行技術文献】
【特許文献】
【０００５】
【特許文献１】特開２００２−３１５７７０号公報
【特許文献２】特開２０１０−２５９７２４号公報
【発明の概要】
【発明が解決しようとする課題】
【０００６】
しかしながら、従来の体液吸収パッドは、以下の点で改良の余地がある。すなわち、従来の体液吸収パッドは、経血やおりもの、尿等の体液が体液吸収パッドの前側に溜りやすい。そのため、上記衣類の着用者は、着用時間が長くなるにつれて股部に濡れを感じ、ドライ感が得られず不快な思いをしていた。
【０００７】
また、近年では、股下部を全体的に後ろに寄せることによって股下部の前端縁を前身頃のできるだけ下方に配置し、股下部の前端縁が目立たないように構成したデザイン性の高いショーツ等の衣類が増えてきている。この種の衣類では、体液吸収パッドの前端縁の取り付け跡が前身頃に大きく表れてデザインを損なわないように、股下部の配置に合わせて体液吸収パッドの前端縁も前身頃の下方に配置されて取り付けられる場合がある。この場合は、経血やおりもの、尿等の体液が体液吸収パッドの前側により一層溜りやすくなる。
【０００８】
なお、パッド表側面にスリット状の凹みを形成し、この凹みから体液を吸収させるよう構成された体液吸収パッドは、経血やおりものなどのように固形分が含まれうる体液が凹みに溜まるので、これによってもドライ感が損なわれる。また、固形分が固まり、スリット状の凹みを塞いでしまうこともある。
【０００９】
本発明は、上記背景に鑑みてなされたものであり、比較的長時間使用した場合でもパッドの前側に体液が溜まり難い体液吸収パッド、また、これを用いた股下部を有する衣類を提供しようとして得られたものである。
【課題を解決するための手段】
【００１０】
本発明の一態様は、股下部を有する衣類における上記股下部の肌側に配置されるとともに上記衣類に取り付けた状態で用いられ、上記衣類の着用者の股部から排出される体液を吸収させるための体液吸収パッドであって、
少なくとも１枚以上より構成され、表側面から裏側面に上記体液を浸透させる浸透布と、上記股下部の肌側面に接して配置され、上記股下部への上記体液の浸入を防止する防液布と、上記浸透布と上記防液布との間に設けられ、上記体液を吸収して保持可能な多層構造の多層積層体とを有しており、
該多層積層体は、
上記浸透布側に配置され、上記体液を上部側で吸収する上部吸収層と、該上部吸収層の裏側面に接して配置され、表側面から裏側面に上記体液を浸透させる浸透層と、上記浸透層の裏側面に接して配置され、上記上部吸収層より少なくとも後方に大きく形成されるとともに上記体液を底部側で吸収して保持する底部吸収層とを有しており、
上記上部吸収層は、
その前後方向の途中部位から後方に向かって延びる切欠き部を有していることを特徴とする体液吸収パッドにある（請求項１）。
【００１１】
本発明の他の態様は、股下部を有する衣類であって、上記体液吸収パッドが、上記股下部の肌側に配置されるとともに上記衣類に取り付けられていることを特徴とする股下部を有する衣類にある（請求項１１）。
【発明の効果】
【００１２】
上記体液吸収パッドは、浸透布の表側面から裏側面に速やかに体液が浸透し、パッド表側面で体液が拡がり難い。そのため、上記体液吸収パッドは、着用者がドライ感を感じやすい。また、上記体液吸収パッドは、上記のような特定構造の多層積層体を有している。そのため、パッド内に浸透した体液は、上部吸収層に吸収されつつ、上部吸収層の下方に流れていく。ここで、上部吸収層は、その前後方向の途中部位から後方に向かって延びる切欠き部を有している。また、その上部吸収層の裏側面に接して、表側面から裏側面に体液を浸透させる浸透層が配置されている。そのため、切欠き部に沿って浸透層の表側面を露出させることができる。この切欠き部により露出した浸透層の表側面と、切欠き部における上部吸収層の厚み方向の端面とによって区画された部分とは、体液をパッドの後ろ側に導くための流路として機能する。つまり、浸透層に体液が浸透する速度は上部吸収層に体液が吸収される速度よりも速いため、体液は、切欠き部によって後方に引き込まれながら下方に配置された底部吸収層に吸収され保持されていく。したがって、上記体液吸収パッドは、比較的長時間使用した場合であっても、パッドの前側に体液が溜まり難い。また、上記体液吸収パッドは、股下部の配置に合わせて前端縁が前身頃の下方に配置されて取り付けられた場合でも、切欠き部により体液の後方への引き込みが促進されるので、体液がパッドの前側に溜まり難く、有利である。
【００１３】
また、上記股下部を有する衣類は、上記体液吸収パッドを用いているので、比較的長時間使用した場合でも、パッドの前側に体液が溜まり難い。それ故、上記衣類の着用者は、比較的長時間にわたって上記衣類を着用しても股部に濡れを感じ難く、長時間にわたってドライ感を得ることができる。
【図面の簡単な説明】
【００１４】
【図１】実施例１の体液吸収パッドを肌側となる表側から見た図である。
【図２】実施例１の体液吸収パッドを裏側から見た図である。
【図３】実施例１の体液吸収パッドの一部を示す分解斜視図である。
【図４】実施例１の体液吸収パッドにおける上部吸収層を表側から見た図である。
【図５】実施例１の体液吸収パッドにおける立体形成層の貫通穴と上部吸収層の切欠き部との配置を説明するための図である。
【図６】実施例１の体液吸収パッドにおける他の上部吸収層の一例を模式的に示した図である。
【図７】図１のＶＩＩ−ＶＩＩ線の断面を模式的に示す説明図である。
【図８】図１のＶＩＩＩ−ＶＩＩＩ線の断面を模式的に示す説明図である。
【図９】実施例２の股下部を有する衣類としての生理用ショーツを模式的に示す斜視図である。
【図１０】実施例２の股下部を有する衣類としての生理用ショーツを胴回り側の開口部から見た図である。
【発明を実施するための形態】
【００１５】
上記体液吸収パッドは、股下部を有する衣類における股下部の肌側に主に配置されるとともに衣類に取り付けた状態で用いられる。つまり、上記体液吸収パッドは、紙ナプキン等のような使い捨て品ではなく、体液を吸収して汚れた場合には洗濯によって体液を除去して繰り返し使用可能なものである。なお、上記体液吸収パッドは、これを取り付ける衣類の前側方向と同方向を前方、後ろ側方向と同方向を後方とする。また、浸透布側方向を上方、防液布側方向を下方とする。また、上記体液吸収パッドを構成する各部材は、衣類における股下部の肌側面に対面する側の面を裏側面、その反対側の面を表側面とする。
【００１６】
上記股下部を有する衣類における股下部は、下着類等の衣類を着用する着用者の股部の下に主に配される部分である。股下部を有する衣類としては、具体的には、例えば、生理用ショーツ等のショーツ、ガードル、パンツ、ボディスーツ、レオタードなどを例示することができる。なお、上記着用者は、女性であっても男性であってもよく、特に制限はない。
【００１７】
上記体液吸収パッドは、股下部の肌側面に防液布を対面させた状態で配置されて衣類に取り付けられる。上記体液吸収パッドは、具体的には、例えば、その前端縁を衣類の股下部の前端縁と揃えて取り付けたり、その前端縁を衣類の股下部における前端縁よりも後方側に配置して取り付けたりすることができる。また、上記体液吸収パッドは、例えば、体液吸収パッドの全周縁を股下部等に縫着する方法、体液吸収パッドの前端部および後端部を股下部等に縫着する方法、両面ファスナー等を用いて股下部等から取り外し可能に取り付ける方法などによって取り付けることができる。とりわけ、上記体液吸収パッドの全周縁を股下部等に縫着する方法は、着用者が動いても体液吸収パッドがずれ難く、またよれ難いため、体液の漏れを気にせずに安心して着用できる利点がある。
【００１８】
上記体液吸収パッドは、衣類の着用者の股部から排出される体液を吸収させるためのものである。上記体液としては、具体的には、例えば、生理時の経血、おりもの、産褥期の悪露、尿などを例示することができる。生理時の経血、おりもの、産褥期の悪露などは、固形分を含むことがあり尿に比べて粘性があるが、上記体液吸収パッドは、これらの体液であっても、従来に比べてパッド表側面に残り難い。
【００１９】
上記体液吸収パッドにおいて、浸透布は、全面において表側面から裏側面に体液を浸透させる布地から構成することができる。この場合は、浸透布の全面に体液が広がり難くなり、パッド表側面のドライ感を向上させることができる。浸透布は、表側面から裏側面に体液を浸透させることができる機能を有しておれば、その構成・材質は特に制限されない。浸透布は、具体的には、例えば、メッシュ状面を有する構成などとすることができる。この場合は、着用者がドライ感を得やすくなる利点がある。
【００２０】
上記体液吸収パッドにおいて、浸透布は、少なくとも１枚以上より構成することができる。つまり、浸透布は、一枚の布地等から構成することもできるし、二枚以上の複数の布地等から構成することもできる。また、複数の布地等から構成する場合は、それぞれの体液の浸透度合いを異ならせることもできる。浸透布は、具体的には、例えば、衣類の着用者の股部に当接させる第１浸透布と、第１浸透布の裏側面に接して配置された第２浸透布とを有する構成等とすることができる。さらに、第１浸透布および第２浸透布は、より具体的には、例えば、ともにメッシュ状面を有しており、第１浸透布のメッシュ状面は、第２浸透布のメッシュ状面よりもメッシュが粗くなるように構成することができる（請求項６）。
【００２１】
この場合、メッシュの粗い第１浸透布に付着した体液は、第１浸透布の全面に広がることなく付着した部分にてまとまって速やかに下方に浸透する。また、まとまって体液が通過した部分は、第１浸透布に引き続き付着する体液の液道となり、下方への速やかな体液の浸透を促す。第１浸透布に浸透した体液は、さらに、第１浸透布よりもメッシュが細かい第２浸透布に浸透していく。そのため、この場合は、パッド表側面のドライ感をより一層向上させるのに有利である。
【００２２】
上記第２浸透布は、具体的には、例えば、一方面がメッシュ状面であり、他方面が非メッシュ状面である布地等から構成することができる。この場合は、非メッシュ状面に体液を吸収させる等、第１浸透布とは異なる機能を付与することが可能となり、パッドの機能性向上に寄与することができる。なお、この場合、メッシュ状面を表側面、非メッシュ状面を裏側面としてもよいし、メッシュ状面を裏側面、非メッシュ状面を表側面としてもよい。好ましくは前者であるとよい。上部吸収層への体液の移行を図りやすくなるなどの利点があるからである。
【００２３】
上記体液吸収パッドにおいて、上部吸収層は、上記切欠き部を有している。切欠き部は、上部吸収層の前後方向の途中部位から上部吸収層の後端縁までの間のいずれかにおいて、下方に配置された浸透層の表側面が露出するように上部吸収層の一部が切り取られた部分であり、スリット等の切込みも含むものである。切欠き部は、上部吸収層の前後方向の途中部位から後方に向かって延びておればよく、切欠き部の後端部と上部吸収層の後端縁とが必ずしも一致している必要はない。つまり、切欠き部の後端部は、上部吸収層の後端縁よりも前方に存在していても良い。また、切欠き部は、上部吸収層の前後方向の途中部位から後方に向かって連続的に延びていてもよいし、不連続に延びていてもよい。もっとも、パッド後ろ側への体液の流しやすさ、切欠き部の形成容易性などの観点から、切欠き部の後端部は、上部吸収層の後端縁と一致していることが好ましく、また、切欠き部は、上部吸収層の前後方向の途中部位から後方に連続的に延びていることが好ましい。
【００２４】
上記体液吸収パッドにおいて、上部吸収層は、切欠き部を１つ有していてもよいし、複数有していてもよい。切欠き部が一つである場合は、上部吸収層の幅方向の中央線にほぼ沿うように切欠き部を配置することができる。
【００２５】
上記体液吸収パッドにおいて、切欠き部は、上部吸収層の後方に向かうに従ってその幅が広くなるように形成されているとよい（請求項５）。この場合は、上部吸収層の後方に向かうに従って、下方に配置された浸透層の表側面が多く露出するようになる。そのため、この場合は、体液をパッドの後ろ側により引き込みやすくなり有利である。
【００２６】
上記体液吸収パッドにおいて、浸透層は、表側面から裏側面に体液を浸透させることができれば、その材質は特に限定されるものではない。浸透層は、例えば、上述した浸透布と同様に、メッシュ状面を有する構成とすることができる。この場合は、体液をパッドの後ろ側に引き込みやすくなり有利である。浸透層は、より具体的には、例えば、一方面がメッシュ状面であり、その他方面が非メッシュ状面である布地等から構成することができる。この場合、非メッシュ状面は、吸収性を有する構成とすることができる。なお、この場合は、非メッシュ状面を表側面、メッシュ状面を裏側面としてもよいし、非メッシュ状面を裏側面、メッシュ状面を表側面としてもよい。好ましくは前者であるとよい。底部吸収層への体液の移行を図りやすくなるなどの利点があるからである。
【００２７】
上記体液吸収パッドにおいて、多層積層体は、浸透布の裏側面と上部吸収層の表側面との間に、層厚み方向に貫通する貫通穴が形成された立体形成層を有する構成とすることができる（請求項２）。
【００２８】
この場合は、貫通穴に対応する位置における浸透布に体液が接すると、その体液の重みにより浸透布が下方にたわみ、浸透布を通過して体液が貫通穴に落ちる。そのため、この場合は、立体形成層がない場合に比べ、浸透布の表側面で体液が広がり難く、浸透布よりも下方で体液を拡散させやすくなる。したがって、この場合は、浸透布の表側面が体液で濡れ難く、パッド表側面のドライ感を向上させることができる。なお、体液が貫通穴内に落ちた後、浸透布は、着用者の体温や素材の特性等によって下方へのたわみが回復し、やや平坦な状態に戻るように構成することができる。貫通穴は、上記効果を高める観点から、着用状態において着用者の股部における体液の排出口（例えば、膣口、尿道口等）に対応する位置に配置することが好ましい。
【００２９】
上記体液吸収パッドにおいて、貫通穴と切欠き部の前端部（先端部）は、平面視で、互いに重なるように配置することができる（請求項３）。
【００３０】
この場合は、貫通穴内に流入した体液が切欠き部の前端部に接することになるため、体液を効率よく切欠き部へ導きやすくなる。なお、貫通穴の形状は、特に限定されるものではない。貫通穴の形状は、例えば、略円形、略楕円形、角丸長方形（二つの等しい長さの平行線と二つの円弧とからなるもの）、略卵形、略雫形等の形状や、長方形、正方形、台形等といった四角形、略菱形（対角線が直交し、隣り合った辺が等しいペアが２組あるものなども含む）等の多角形などを例示することができる。貫通穴の形状が少なくとも一部に直線を含む形状である場合には、例えば、貫通穴の周囲を縫製する際に、ミシン等の縫製装置の位置決めをしやすく、生産性向上に寄与できるなどの利点がある。
【００３１】
なお、立体形成層は、１層または２層以上から構成することができる。また、立体形成層は、例えば、体液を吸収する吸収機能を有することができる。この場合は、下方から上方に体液が逆流するのを抑制しやすくなる。また、この場合は、立体形成層も体液を吸収することができるので、パッド上部側における吸収容量の増加に寄与することができる。
【００３２】
上記体液吸収パッドは、多層積層体が立体形成層を有する場合、貫通穴の外周に沿って浸透布と多層積層体とを縫着するとともに浸透布の肌側面に露出する部位を含む縫着糸を有している構成とすることができる（請求項４）。
【００３３】
この場合は、浸透布の表側面に、貫通穴の外周に沿って縫着糸が露出するので、露出した縫着糸によって体液吸収パッドの意匠性を向上させることができる。さらに、この場合は、着用者が様々な姿勢をとっても、貫通穴の外周に沿う縫着糸によって浸透布と多層積層体の各層とが互いに位置ずれし難く、衣類の着用者の動きに対応しやすくなるなどの利点がある。また、洗濯しても形状を維持しやすいなどの利点もある。
【００３４】
上記体液吸収パッドにおいて、底部吸収層は、単層または複数層から構成することができる（請求項８）。
【００３５】
底部吸収層が単層から構成される場合は、薄くて吸収性があり、柔らかな体液吸収パッドとすることができる。また、底部吸収層が複数層から構成される場合は、底部吸収層を構成する各層の層数を増減させることにより、底部吸収層の吸収容量を増減させることができる。そのため、この場合は、吸収させる体液の総量に応じた吸収容量を有する体液吸収パッドを得やすくなる。また、底部吸収層を構成する各層の層数を増減させたり、各層の外形、大きさを適宜変えることなどにより、体液吸収パッドの柔軟性を調節することもできる。そのため、この場合は、着用者の股部にフィットしやすい体液吸収パッドを得やすくなる。
【００３６】
上記体液吸収パッドにおいて、多層積層体の両側縁は、浸透布および防液布の両側縁よりも内側に配置することができる（請求項７）。
【００３７】
この場合は、着用者が様々な姿勢をとっても、多層積層体に吸収、保持された体液が、パッドの両側縁から漏れ出し難くなる（脇漏れし難くなる）。
【００３８】
上記体液吸収パッドにおいて、多層積層体は、浸透布の裏側面に縫着されている構成とすることができる（請求項９）。
【００３９】
この場合は、着用者が様々な姿勢をとっても、多層積層体が位置ずれし難いので、体液の吸収、保持を確実なものとすることができる。また、多層積層体の取り付けのために防液布に針穴などを開けずに済むので、防液信頼性を向上させることができる。
【００４０】
上記体液吸収パッドは、防液布が、浸透布および多層積層体よりも大きく形成されており、浸透布の外周縁と防液布の外周縁との間に、両外周縁の間を繋ぎ合わせる撥水性の撥水布を有している構成とすることができる（請求項１０）。
【００４１】
この場合は、着用者が様々な姿勢をとることにより、多層積層体に吸収・保持された体液が多層積層体の外周縁から漏れ出したとしても、漏れ出した体液は撥水布と防液布の内側に留まることができる。そのため、この場合は、パッドの外周縁から体液がより漏れ出し難くなる。
【００４２】
撥水布は、ポリエステル等の材質よりなるスムース布地等から構成することができる。撥水性のスムース布地は、撥水性を有する上、柔らかく肌触りに優れるので、撥水布として好適に用いることができる。なお、撥水布と浸透布とは、撥水布の内側縁と浸透布の外周縁とが縫い合わせられることによって連結された構成とすることができる。また、撥水布と防液布とは、撥水布の外側縁と防液布の外周縁とが縫い合わせられることによって連結された構成とすることができる。この際、撥水布と防液布とは、衣類の股下部に体液吸収パッドを取り付ける際の縫着糸によって繋ぎ合わされた構成とすることができる。また、上記体液吸収パッドは、さらに、撥水布の外側縁と防液布の外周縁とを被包するパイピングを有する構成とすることもできる。この場合は、体液吸収パッド単体の見栄えが向上する利点がある。
【００４３】
上記股下部を有する衣類において、上記体液吸収パッドは、その全周縁が股下部に縫着されている構成とすることができる（請求項１２）。
【００４４】
この場合は、体液吸収パッドの全周縁が股下部に縫着されているので、着用者が動いても体液吸収パッドがずれ難く、またよれ難いため、体液の漏れを気にせずに安心して着用できる利点がある。
【００４５】
なお、上記股下部を有する衣類は、上記体液吸収パッドの前端縁および後端縁を縫着等によって衣類に取り付け、パッドの両側縁を縫着等によって衣類に取り付けることなく衣類から遊離させた状態とすることも可能である。この場合は、必要に応じて、使い捨ての羽根つきナプキン等を併用する際に、ナプキンの羽根部を体液吸収パッドと股下部との間に挟み込んで止めることができる。また、上記衣類において、体液吸収パッドの防液布と衣類の股下部との間には、他の防液布がさらに配置されていてもよい。この場合は、衣類の股下部への体液の付着を確実に防止しやすくなる。
【００４６】
上記股下部を有する衣類は、生理用ショーツとすることができる（請求項１３）。
【００４７】
この場合は、体液吸収パッドの布地による柔らかな肌触り、優れたドライ感により、着用者の肌にやさしい生理用ショーツが得られる。また、この場合は、使い捨て紙ナプキンを用いなくても直履きできる生理用ショーツが得られる。また、この場合は、使い捨て紙ナプキンの使用量を削減することができるので、ゴミが減り、地球環境に優しい生理用ショーツが得られる。
【実施例】
【００４８】
以下、実施例の体液吸収パッドおよび股下部を有する衣類について、図面を用いて説明する。
（実施例１）
図１〜図８に、実施例１の体液吸収パッドを示す。体液吸収パッド１は、後述する図９および図１０に示すように、股下部６１を有する衣類６における股下部６１の肌側に配置されるとともに衣類６に取り付けた状態で用いられる。本例では、具体的には、体液吸収パッド１は、生理用ショーツ６０における股下部６１の肌側面にパッド裏側面を対面させた状態で配置し、その全周縁を股下部６１に縫着した状態で用いられる。この際、体液吸収パッド１は、その前端縁を衣類６の股下部６１における前端縁と揃えて縫着される。また、体液吸収パッド１は、衣類６の着用者の股部から排出される体液を吸収させるためのものである。本例において吸収させる体液は、主に生理時における経血やおりものなどである。
【００４９】
体液吸収パッド１は、少なくとも１枚以上より構成され、表側面から裏側面に体液を浸透させる浸透布２と、股下部６１の肌側面に接して配置され、股下部６１への体液の浸入を防止する防液布３と、浸透布２と防液布３との間に設けられ、体液を吸収して保持可能な多層構造の多層積層体４とを有している。
【００５０】
多層積層体４は、浸透布２側に配置され、体液を上部側で吸収する上部吸収層４１と、上部吸収層４１の裏側面に接して配置され、表側面から裏側面に体液を浸透させる浸透層４２と、浸透層４２の裏側面に接して配置され、上部吸収層４１より少なくとも後方に大きく形成されるとともに体液を底部側で吸収して保持する底部吸収層４３とを有している。そして、上部吸収層４１は、その前後方向の途中部位から後方に向かって延びる切欠き部４１０を有している。以下、本例の体液吸収パッド１について詳説する。
【００５１】
浸透布２は、体液吸収パッド１のパッド表側面を構成する。浸透布２は、本例の体液吸収パッド１を適用する衣類６が有する股下部６１よりも大きさが小さく形成されている。浸透布２は、より具体的には、その外周縁が股下部６１の外周縁よりも１５〜３０ｍｍ程度内側の位置となるように形成されており、本例では、前側に比べ後ろ側の幅が広く、全体として後方に略末広がり状とされている。浸透布２の両側縁は、衣類６の股下部６１の両側縁から一定距離離間させて内方に配置されるよう湾曲して形成されている。浸透布２の前端縁は、前方に凸状となるよう湾曲して形成されている。浸透布２の後端縁は、後方に凸状となるよう湾曲して形成されている。
【００５２】
浸透布２は、具体的には、衣類６の着用者の股部に当接させる第１浸透布２１と、第１浸透布２１の裏側面に接して配置される第２浸透布２２との２枚より構成されている。本例では、第１浸透布２１は、メッシュ状面を有する布地から構成されている。一方、第２浸透布２２は、一方面がメッシュ状面、他方面が非メッシュ状面である布地から構成されている。なお、本例では、第１浸透布２１から第２浸透布２２への体液のスムーズな浸透が行われるように、第２浸透布２２は、メッシュ状面が表側面、非メッシュ状面が裏側面となるようにして用いる。なお、第２浸透布２２の一部を構成する非メッシュ状面は、体液を若干吸収可能とされている。また、第１浸透布２１のメッシュ状面は、第２浸透布２２のメッシュ状面よりもメッシュが粗く設定されている。具体的には、第１浸透布２１は、横１インチ当たり９目、縦１インチ当たり８目程度であり、第２浸透布２２は、横１インチ当たり１８目、縦１インチ当たり６．５目程度である。第１浸透布２１の材質は、具体的には、ポリプロピレン１００％である。第２浸透布２２の材質は、具体的には、綿とポリエステルとの混合であり、綿とポリエステルとの混合比は、綿６０％程度、ポリエステル４０％程度である。このように構成される浸透布２は、全面において表側面から裏側面に体液を浸透させることが可能である。
【００５３】
防液布３は、本例の体液吸収パッド１のパッド裏側面を構成する。防液布３は、本例の体液吸収パッド１を適用する衣類６が有する股下部６１とほぼ同じ外形、大きさに形成されている。つまり、防液布３は、浸透布２よりも大きさが大きく形成されている。したがって、本例では、浸透布２と防液布３とが適切な位置にて重ね合わされた状態において、防液布３の外周縁（前端縁、後端縁、両側縁）は、浸透布２の外周縁（前端縁、後端縁、両側縁）よりも外側に配置されるように構成されている。
【００５４】
防液布３は、体液を浸透させない布地から構成されている。上記布地としては、例えば、基布の少なくとも一方面が体液を浸透させないポリマーによって防液加工されている布地などを用いることができる。なお、基布の一方面だけが防液加工されている場合、防液加工された面は、防液性向上の観点から、表側面であるとよい。本例では、具体的には、ポリエステル１００％からなる基布の一方面がポリウレタンによって防液加工されている布地を用いている。なお、本例では、防液性を確実なものとする観点から、防液加工された面を表側面とし、防液加工されていない面を裏側面としている。
【００５５】
本例では、浸透布２の外周縁と防液布３の外周縁との間は、撥水性の撥水布５によって繋ぎ合わされている。撥水布５は、具体的には、前端縁撥水布５１、後端縁撥水布５２、左側縁撥水布５３、右側縁撥水布５４から構成されている。撥水布５は、ポリエステル１００％からなるスムース布地を用いている。
【００５６】
本例の体液吸収パッド１は、大きさの異なる浸透布２と防液布３とが撥水布５によって繋ぎ合わされることにより全体として袋状とされ、この袋内に多層積層体４が配置されている。なお、体液吸収パッド１は、撥水布５を用いることなく、吸収させる体液の量等を考慮し、浸透布２と防液布３の外周縁をパイピング（不図示）により被包することによって全体として袋状に構成することも可能である。
【００５７】
多層積層体４は、複数の機能層から構成されており、全体として体液を吸収して保持することができる。本例では、多層積層体４は、図３に示すように、浸透布２側から下方に向かって順に、立体形成層４０と、上部吸収層４１と、浸透層４２と、底部吸収層４３とがこの順に積層されて構成されている。本例では、多層積層体４が、浸透布２の裏側面と上部吸収層４１の表側面との間に、立体形成層４０を有する例を示している。なお、立体形成層４０は、浸透布２の表側面での体液の広がりを抑え、浸透布２よりも下方で体液を素早く拡散させることを促すために追加的に設けたものであり、省略することも可能なものである。以下、多層積層体４について浸透布２側から順に説明する。
【００５８】
上述のように、本例では、立体形成層４０は、層厚み方向に貫通する貫通穴４００を有している。貫通穴４００は、具体的には、体液吸収パッド１の着用状態において平均的な着用者の股部における膣口にほぼ対応する位置となるように配置されている。体液吸収パッド１全体でみた場合、貫通穴４００の中心は、パッド幅方向を二分する中央線の前後方向の中央よりもやや前方に配置されている。また、本例における貫通穴４００の形状は、パッド前後方向の長さが約５０ｍｍ、パッド幅方向の長さが約３０ｍｍである略楕円形状である。なお、貫通穴４００は、金型による打ち抜きにより形成したものであるが、これに限定されることなく、各種の方法によって形成することができる。貫通穴４００は、貫通穴４００の上方に位置する浸透布２に体液がのった際にその体液の重みより浸透布２が下方にたわむのを促すことが可能となる形状、大きさとなるように形成されている。したがって、本例の貫通穴４００は、従来技術に見られる狭小な幅のスリット穴とは異なるものである。なお、浸透布２は、浸透布２内を通過して貫通穴４００に体液が落ちた後、乾燥することによってほぼ平坦な状態に戻るように構成することが可能である。
【００５９】
立体形成層４０は、パッド前後方向およびパッド幅方向の長さが浸透布２よりも小さく形成されている。立体形成層４０の両縁側は、具体的には、衣類６の股下部６１の両側縁から一定距離離間させて内方に配置されるよう湾曲して形成されている。立体形成層４０の前端縁および後端縁は、具体的には、ともにパッド幅方向と略平行に形成されている。立体形成層４０は、体液を吸収して保持可能な布地から構成されている。したがって、立体形成層４０は、浸透布２の下方へのたわみを促すばかりでなく、下方から上方に体液が逆流するのを抑制し、後述する上部吸収層４１の吸収機能を補完することが可能とされている。立体形成層４０の材質は、具体的には、キュプラ、ナイロンおよびアクリルの混合である。これらの混合比は、キュプラ４６％程度、ナイロン２７％程度、アクリル２７％程度である。
【００６０】
上部吸収層４１は、パッド前後方向およびパッド幅方向の長さが浸透布２よりも小さく形成されている。上部吸収層４１の両縁側は、具体的には、衣類６の股下部６１の両側縁から一定距離離間させて内方に配置されるよう湾曲して形成されている。上部吸収層４１の前端縁および後端縁は、具体的には、ともにパッド幅方向と略平行に形成されている。なお、本例では、上述した立体形成層４０は、上部吸収層４１とほぼ同じ外形、大きさに形成されている。また、本例では、上部吸収層４１は、体液を吸収可能な布地から構成されている。上部吸収層４１の材質は、具体的には、キュプラ、ナイロンおよびアクリルの混合である。これらの混合比は、キュプラ４６％程度、ナイロン２７％程度、アクリル２７％程度である。
【００６１】
ここで、上部吸収層４１は、その前後方向の途中部位から後方に向かって延びる切欠き部４１０を有している。本例では、図３および図４に示されるように、切欠き部４１０は、１つであり、上部吸収層４１の幅方向の中央線にほぼ沿うように配置されている。また、切欠き部４１０は、上部吸収層４１の前後方向の途中部位から後方に向かって連続的に延びており、上部吸収層４１の後方に向かうに従ってその幅が広くなるように形成されている。したがって、切欠き部４１０は、上部吸収層４１の後方に向かうに従って、下方に配置された浸透層４２の表側面を徐々に多く露出させることができるようになっている。本例では、図５に示すように、立体形成層４０の貫通穴４００と切欠き部４１０の前端部とは、平面視で、互いに重なるように配置されている。換言すれば、切欠き部４１０の前端部は、立体形成層４０の貫通穴４００を上部吸収層４１上に投影した投影面と重なるように配置されている。一方、切欠き部４１０の後端部は、本例では上部吸収層４１の後端縁と一致させてある。切欠き部４１０のパッド前後方向の長さは、約６０ｍｍであり、切欠き部４１０の最後端におけるパッド幅方向の長さは、約８ｍｍである。
【００６２】
なお、本例では、上述したように、切欠き部４１０は、上部吸収層４１の後端縁上の一部を底辺とする略二等辺三角形状に形成されているが、他の形状に形成されていてもよい。図６に、切欠き部４１０の変形例の一例を示す。図６（ａ）の切欠き部４１０ａは、上部吸収層４１の後端縁よりも前方にその後端縁が存在している場合を例示したものである。図６（ｂ）の切欠き部４１０ｂは、上部吸収層４１の前方から後方に向かってその幅がほぼ一定に形成されている場合を例示したものである。図６（ｃ）の切欠き部４１０ｃは、前後方向に長い略長穴状に形成されている場合を例示したものである。図６（ｄ）、（ｅ）の切欠き部４１０ｄ、４１０ｅは、連続して後方に延びる複数の切欠き群から構成される場合を例示したものである。図６（ｆ）の切欠き部４１０ｆは、不連続に後方に延びる場合を例示したものである。
【００６３】
浸透層４２は、パッド前後方向の長さおよびパッド幅方向の長さが浸透布２よりも小さく形成されている。衣類６の股下部６１の両側縁から一定距離離間させて内方に配置されるよう湾曲して形成されている。浸透層４２の前端縁および後端縁は、具体的には、ともにパッド幅方向と略平行に形成されている。なお、本例では、浸透層４２は、立体形成層４０および上部吸収層４１とほぼ同じ外形、大きさに形成されている。浸透層４２は、表側面から裏側面に体液を浸透させることが可能な布地から構成されている。具体的には、浸透層４２は、浸透布２における第２浸透布２２と同材質の布地から構成されている。但し、本例では、下方への体液の引き込みを促す観点から、上記布地の非メッシュ状面を表側面、メッシュ状面を裏側面として用いている。
【００６４】
底部吸収層４３は、１層から構成することもできるが、本例では、底部吸収層４３が複数層から構成されている例を示している。具体的には、底部吸収層４３は、浸透層４２の裏側面に接して配置された浸透層側吸収層４３３と、防液布３の表側面に接して配置された防液布側吸収層４３４とを有している。
【００６５】
浸透層側吸収層４３３および防液布側吸収層４３４は、上部吸収層４１よりも前後方向に大きく形成されている。浸透層側吸収層４３３および防液布側吸収層４３４は、より具体的には、前側に比べ後ろ側の幅が広く、全体として後方に略末広がり状とされている。浸透層側吸収層４３３および防液布側吸収層４３４の両側縁は、浸透布２の両側縁よりも５ｍｍ程度内側の位置となるように形成されており、衣類６の股下部６１の両側縁から一定距離離間させて内方に配置されるよう湾曲して形成されている。なお、浸透層側吸収層４３３および防液布側吸収層４３４は、立体形成層４０、上部吸収層４１、浸透層４２と重ねられた際に、これらの各両側縁がほぼ一致するように形成されている。また、浸透層側吸収層４３３および防液布側吸収層４３４の前端縁は、いずれも前方に凸状となるよう湾曲して形成されている。浸透層側吸収層４３３および防液布側吸収層４３４の後端縁は、いずれも後方に凸状となるよう湾曲して形成されている。但し、浸透層側吸収層４３３は、その後端縁が、防液布側吸収層４３４の後端縁よりも約１６ｍｍ程度前方に入った位置に配置されるように、防液布側吸収層４３４よりも小さく形成されている。なお、浸透層側吸収層４３３および防液布側吸収層４３４の前端縁は、浸透布２と重ねられた際に、浸透布２の前端縁とほぼ一致するように形成されている。また、防液布側吸収層４３４の後端縁は、浸透布２と重ねられた際に、浸透布２の後端縁とほぼ一致するように形成されている。
【００６６】
底部吸収層４３は、体液を吸収して保持可能な布地から構成されている。本例では、底部吸収層４３は、上部吸収層４１よりも大きく形成されていることや、複数層から構成されていることなどから分かるように、上部吸収層４１よりも体液の吸収容量が大きく設定されている。そのため、着用者が長時間着用することによって流入した体液の多くは、主にこの底部吸収層４３に吸収されて保持される。なお、本例では、底部吸収層４３は、上部吸収層４１と同じ材質の布地を用いている。
【００６７】
以上の構成を有する多層積層体４は、本例では、その両側縁が、浸透布２および防液布３の両側縁よりも内側に配置されている。また、多層積層体４は、浸透布２の裏側面に縫着されている。また、本例では、体液吸収パッド１は、貫通穴４００の外周に沿って浸透布２と多層積層体４とを縫着する縫着糸Ｌ１を有している。なお、縫着糸Ｌ１は、貫通穴４００の縁部よりも約３ｍｍ程度外方の位置に配置されており、浸透布２の表側面に露出する部位を含んでいる。したがって、本例の体液吸収パッド１は、図１に示すように、浸透布２の肌面側に、貫通穴４００の外周形状に対応して略楕円形状に形成された縫着糸Ｌ１による環状部が視認可能になっている。
【００６８】
次に、本例の体液吸収パッド１の製造方法の一例について説明する。ここでは、本例の体液吸収パッド１を構成する各部材を縫製によって順次積層する方法について説明する。なお、縫製箇所、縫製手順、縫製方法などは、以下の説明によって限定されるものではなく、生産性等を考慮して適宜最適化することが可能である。
【００６９】
先ず、本例の体液吸収パッド１を構成する各部材を準備する。次いで、上部吸収層４１の裏側面と浸透層４２の表側面とを重ねて縫製し、積層体Ａを構成する。本例では、具体的には、上部吸収層４１の裏側面と浸透層４２の表側面とを重ねて配置し、切欠き部４１０の周囲をレジロン糸等の縫着糸Ｌ２を用いて本縫いにより縫製し（但し、略二等辺三角形状の切欠き部４１０の斜辺周囲であって、切欠き部４１０の後端縁は除く）、積層体Ａを構成する。
【００７０】
次いで、得られた積層体Ａにおける上部吸収層４１の表側面に立体形成層４０の裏側面を重ね合わせるとともに、積層体Ａにおける浸透層４２の裏側面に底部吸収層４３の一部を構成する浸透層側吸収層４３３の表側面を重ね合わせる。なお、積層体Ａおよび浸透層側吸収層４３３は、両者を重ね合わせた状態において、積層体Ａの前方および後方から浸透層側吸収層４３３が突出した状態となるように重ねられる。そして、本例では、積層体Ａの前端縁をレジロン糸等の縫着糸Ｌ３を用いて本縫いにより縫製し、積層体Ｂを構成する。
【００７１】
次いで、得られた積層体Ｂにおける浸透層側吸収層４３３の裏側面に底部吸収層４３の残りを構成する防液布側吸収層４３４の表側面を重ね合わせる。なお、積層体Ｂおよび防液布側吸収層４３４は、両者を重ね合わせた状態において、積層体Ｂの後方から防液布側吸収層４３４が突出した状態となるように重ねられる。そして、本例では、積層体Ｂの後端縁をレジロン糸等の縫着糸Ｌ４を用いて本縫いにより縫製し、積層体Ｃを構成する。
【００７２】
次いで、得られた積層体Ｃにおける立体形成層４０の表側面上に浸透布２を構成する第２浸透布２２、第１浸透布２１をこの順に積層する。そして、本例では、積層体Ｃの両側縁からそれぞれ８ｍｍ程度内側をレジロン糸等の縫着糸Ｌ５を用いて本縫いにより縫製し、積層体Ｄを構成する。
【００７３】
次いで、得られた積層体Ｄにおける立体形成層４０の貫通穴４００の外周に沿ってレジロン糸等の縫着糸Ｌ１を用いて本縫いにより縫製し、積層体Ｅを構成する。なお、この際の縫製位置は、貫通穴４００の周縁部よりも約３ｍｍ程度外方である。
【００７４】
次いで、得られた積層体Ｅにおける左側縁に左側縁撥水布５３を、右側縁に右側縁撥水布５４をレジロン糸等の縫着糸Ｌ６、Ｌ７を用いて本縫いにより縫製し、積層体Ｆを構成する。なお、この際の縫製は、図８に示されるように、左側縁撥水布５３および右側縁撥水布５４の内側の縁部をそれぞれ下側に折り曲げ、各折り曲げ片と浸透布２とを縫着糸ＬＬ６、Ｌ７を用いて繋ぎ合わせることによって行うことができる。このような繋ぎ合わせを行った場合は、作製された体液吸収パッド１の肌側に縫着糸Ｌ６、Ｌ７が露出しないように構成することができる。
【００７５】
次いで、得られた積層体Ｆにおける前端縁に前端縁撥水布５１を、後端縁に後端縁撥水布５２をレジロン糸等の縫着糸Ｌ８、Ｌ９を用いて本縫いにより縫製し、積層体Ｇを構成する。なお、この際の縫製は、図７に示されるように、前端縁撥水布５１の内側の縁部を下側に折り曲げ、この折り曲げ片と浸透布２および底部吸収層４３とを縫着糸Ｌ８を用いて繋ぎ合わせることによって行うことができる。また、後端縁撥水布５２の内側の縁部を下側に折り曲げ、この折り曲げ片と浸透布２および防液布側吸収層４３４とを縫着糸Ｌ９を用いて繋ぎ合わせることによって行うことができる。このような繋ぎ合わせを行った場合は、作製された体液吸収パッド１の肌側に縫着糸Ｌ８、Ｌ９が露出しないように構成することができる。
【００７６】
次いで、得られた積層体Ｇの裏側面に防液布３の表側面を重ね合わせ、積層体Ｇの前端縁および後端縁から５〜７ｍｍ程度内側までの範囲内を、スパン糸、ウーリー糸等の縫着糸Ｌ１０を用いてオーバーロック等の縫製方法などによって縫製する。また、積層体Ｇの両側縁から５〜７ｍｍ程度内側までの範囲内を、スパン糸、ウーリー糸等の縫着糸Ｌ１１を用いて平二本等の縫製方法などによって縫製する。これにより、浸透布２の外周縁と防液布３の外周縁との間が撥水布５によって繋ぎ合わされて袋状に構成される。また、図示はしないが、撥水布の外側縁と防液布の外周縁とをパイピングにてされらに被包してもよい。以上により、本例の体液吸収パッド１を得ることができる。なお、後述の図１０に示すように、上記縫製は、衣類６０の股下部６１の肌側面上に、防液布３、積層体Ｇをこの順に積層し、積層体Ｇの前端縁および後端縁から５〜７ｍｍ程度内側までの範囲内を、スパン糸、ウーリー糸等の縫着糸Ｌ１２を用いてオーバーロック等の縫製方法などによって縫製するとともに、積層体Ｇの両側縁から５〜７ｍｍ程度内側までの範囲内を、スパン糸、ウーリー糸等の縫着糸Ｌ１３を用いて平二本等の縫製方法などによって縫製することもできる。つまり、体液吸収パッド１の構成と衣類６０の股下部６１への取り付けとを同時に行うことも可能である。
【００７７】
なお、本例の体液吸収パッド１は、図１に示すように、パッド表側面に、貫通穴４００の外周囲を縫製した際の縫着糸Ｌ１と、多層積層体４の両側縁と浸透布２とを縫着した際の縫着糸Ｌ５とが少なくとも露出した状態とされている。
【００７８】
次に、本例の体液吸収パッドの作用効果について説明する。本例の体液吸収パッド１は、浸透布２の表側面から裏側面に速やかに体液が浸透し、パッド表側面で体液が拡がり難い。そのため、体液吸収パッド１は、着用者がドライ感を感じやすい。また、体液吸収パッド１は、上記のような特定構造の多層積層体４を有している。そのため、パッド内に浸透した体液は、上部吸収層４１に吸収されつつ、上部吸収層４１の下方に流れていく。ここで、上部吸収層４１は、その前後方向の途中部位から後方に向かって延びる切欠き部４１０を有している。また、その上部吸収層４１の裏側面に接して、表側面から裏側面に体液を浸透させる浸透層４２が配置されている。そのため、切欠き部４１０に沿って浸透層４２の表側面を露出させることができる。この切欠き部４１０により露出した浸透層４２の表側面と、切欠き部４１０における上部吸収層４１の厚み方向の端面とによって区画された部分とは、体液をパッドの後ろ側に導くための流路として機能する。つまり、浸透層４２に体液が浸透する速度は上部吸収層４１に体液が吸収される速度よりも速いため、体液は、切欠き部４１０によって後方に引き込まれながら下方に配置された底部吸収層４３に吸収され保持されていく。したがって、体液吸収パッド１は、パッドの前側に体液が溜まり難い。
【００７９】
さらに、本例の体液吸収パッド１は、多層積層体４が立体形成層４０を有している。そのため、貫通穴４００に対応する位置における浸透布２に体液が接すると、その体液の重みにより浸透布２が下方にたわみ、浸透布２を通過して体液が貫通穴４００に落ちる。それ故、本例の体液吸収パッド１は、立体形成層４０がない場合に比べ、浸透布２の表側面で体液が広がり難く、浸透布２よりも下方で体液を拡散させやすい。したがって、本例の体液吸収パッド１は、浸透布２の表側面が体液で濡れ難く、パッド表側面のドライ感を向上させることができる。また、立体形成層４０が上部吸収層４１と同じ吸収機能を有している。そのため、本例の体液吸収パッド１は、下方から上方に体液が逆流するのを抑制しやすい上、立体形成層４０も体液を吸収することができるので、パッド上部側における吸収容量の増加に寄与することができる。
【００８０】
（実施例２）
図９、図１０に、実施例２の股下部を有する衣類を示す。本例の股下部６１を有する衣類６は、実施例１の体液吸収パッド１が、股下部６１の肌側に配置されるとともに衣類６に取り付けられている。本例では、具体的には、股下部６１を有する衣類６は生理用ショーツ６０である。以下、これについて詳説する。
【００８１】
生理用ショーツ６０は、前身頃部６２と、後身頃部６３と、前身頃部６２と後身頃部６３との間に縫製により連結された股下部６１とを有している。前身頃部６２と後身頃部６３とは、ショーツ両側面において互いに縫製により連結され、ショーツ本体部を構成している。なお、ショーツ両側面の連結部分は省略している。生理用ショーツ６０は、前身頃部６２のできるだけ下端縁に近い位置に股下部６１の前端部を配置することにより、股下部６１が全体的に後方に寄せてある。そのため、生理用ショーツ６０は、前方から見た際に、股下部６１の前端部が比較的目立たないように配慮されている。
【００８２】
生理用ショーツ６０の股下部６１における肌側面には、実施例１の体液吸収パッド１が配置されるとともに当該ショーツに縫製によって取り付けられている。本例では、具体的には、股下部６１の肌側面に、体液吸収パッド１の防液布３の裏側面が接するようにして体液吸収パッド１が配置されている。体液吸収パッド１は、その前端縁および後端縁が股下部６１にスパン糸、ウーリー糸などの縫着糸Ｌ１２を用いて縫着されている。また、体液吸収パッド１は、両側縁が股下部６１にスパン糸、ウーリー糸などの縫着糸Ｌ１３を用いて縫着されている。本例の生理用ショーツ６０は、具体的には、衣類６０の股下部６１の肌側面上に、防液布３、上述した積層体Ｇをこの順に重ね合わせ、積層体Ｇの前端縁および後端縁から５〜７ｍｍ程度内側までの範囲内を、スパン糸、ウーリー糸等の縫着糸Ｌ１２を用いてオーバーロック等の縫製方法などによって縫製するとともに、積層体Ｇの両側縁から５〜７ｍｍ程度内側までの範囲内を、スパン糸、ウーリー糸等の縫着糸Ｌ１３を用いて平二本等の縫製方法などによって縫製することにより、体液吸収パッド１の構成と衣類６０の股下部６１への取り付けとが同時に行われて構成されている。なお、本例では、体液吸収パッド１は、着用状態で、その前端縁がその後端縁よりも下方に配置されるように生理用ショーツ６０に取り付けられている。
【００８３】
次に、本例の生理用ショーツ６０の作用効果について説明する。本例の生理用ショーツ６０は、上記体液吸収パッド１を用いている。そのため、本例の生理用ショーツ６０は、比較的長時間使用した場合でも、パッドの前側に体液が溜まり難い。それ故、本例の生理用ショーツ６０の着用者は、比較的長時間にわたって生理ショーツを着用しても股部に濡れを感じ難く、長時間にわたってドライ感を得ることができる。また、本例の生理用ショーツ６０は、体液吸収パッド１の布地による柔らかな肌触り、優れたドライ感により、着用者の肌にやさしい。また、本例の生理用ショーツ６０は、使い捨て紙ナプキンを用いなくても直履きすることができるので、使い捨て紙ナプキンの使用量を削減することができる。その結果、ゴミが減り、地球環境にも優しい。
【００８４】
以上、本発明の実施例について詳細に説明したが、本発明は上記実施例に限定されるものではなく、本発明の趣旨を損なわない範囲内で種々の変更が可能である。
【００８５】
例えば、上記実施例２では、体液吸収パッド１が生理用ショーツ６０に縫製によって取り付けられた例を示したが、体液吸収パッド１は、両面ファスナー等を用いて生理用ショーツ６０に取り外し可能に取り付けることもできる。この場合は、体液吸収パッド１が体液によって汚れた場合に、股下部６１から体液吸収パッド１を容易に取り外して洗濯することができる。また、この場合は、体液吸収パッド１が古くなった場合等に新品に交換しやすくなる。
【００８６】
また、上記実施例では、吸収させる体液が経血やおりものの場合を用いて説明したが、これに限定されることなく、尿等であってもよい。
【００８７】
また、多層積層体を構成する各層の形態は、上述した実施例に限定されるものではなく、適宜変更することが可能である。
【符号の説明】
【００８８】
１  体液吸収パッド
２  浸透布
３  防液布
４  多層積層体
４０  立体形成層
４００  貫通穴
４１  上部吸収層
４１０  切欠き部
４２  浸透層
４３  底部吸収層
４３３  浸透層側吸収層
４３４  防液布側吸収層
５  撥水布
Ｌ１〜Ｌ１３  縫着糸
６  股下部を有する衣類
６０  生理用ショーツ
６１  股下部
６２  前身頃部
６３  後身頃部
【図１】
2015029542.tif 000003
【図２】
2015029542.tif 000004
【図３】
2015029542.tif 000005
【図４】
2015029542.tif 000006
【図５】
2015029542.tif 000007
【図６】
2015029542.tif 000008
【図７】
2015029542.tif 000009
【図８】
2015029542.tif 000010
【図９】
2015029542.tif 000011
【図１０】
2015029542.tif 000012